(57)【要約】【課題】本発明は、地震時などにおける家具の揺動を阻止し、家具の転倒防止を図ることを目的としている。【解決手段】このため、壁面に家具を固定して転倒防止を果たす家具の転倒防止具において、前記家具を壁面に固定する転倒防止具を設け、この転倒防止具を、壁面に取り付けられる家具固定バー部材と、この家具固定バー部材に対してスライド移動可能に取り付けられる移動子と、この移動子を前記家具固定バー部材の任意の位置に停止させるストッパ手段と、前記移動子と前記家具とを固定する固定手段とを備えている。【選択図】図１
2011235001.tif 000002
【特許請求の範囲】
【請求項１】
壁面に家具を固定して転倒防止を果たす家具の転倒防止具において、前記家具を壁面に固定する転倒防止具を設け、この転倒防止具を、壁面に取り付けられる家具固定バー部材と、この家具固定バー部材に対してスライド移動可能に取り付けられる移動子と、この移動子を前記家具固定バー部材の任意の位置に停止させるストッパ手段と、前記移動子と前記家具とを固定する固定手段とを備えていることを特徴とする家具の転倒防止具。
【請求項２】
前記家具固定バー部材は、断面Ｃ字状に形成される一方内部に溝部を有し、溝部の開口部位を家具側に開口させ、この溝部に移動子を係合させるとともに、移動子の後部に前記ストッパ手段を取り付け、このストッパ手段により前記移動子を任意の位置に停止させ、家具の転倒防止を図るために停止させた移動子と家具とを固定手段にて固定することを特徴とする請求項１に記載の家具の転倒防止具。
【発明の詳細な説明】
【技術分野】
【０００１】
この発明は家具の転倒防止具に係り、特に家具を室内の壁面に固定し、地震発生時などにおける家具の転倒防止を図る家具の転倒防止具に関するものである。
【背景技術】
【０００２】
近時、世界各地で大規模な地震が多数発生している。
そして、地震発生時に家具が転倒したり、建造物が崩壊する場合がある。このとき、転倒する家具によって怪我をしたり、最悪の場合には崩壊する建造物によって生命が奪われる可能性もある。
このような状況を考慮し、身近な部分の防災を行うために、家具を予め固定する方策が種々提案されている。
【先行技術文献】
【特許文献】
【０００３】
【特許文献１】特開２００９−２１３６１１号公報
【発明の概要】
【発明が解決しようとする課題】
【０００４】
ところで、従来の家具の転倒防止具においては、固定金具を利用して家具を室内の壁面部分に固定する方策チェーンを使用する方策、そして固定金具を利用しない方策などが考えられる。
まず、固定金具を利用して家具を室内の壁部分に固定する方策においては、Ｌ字型固定金具やＩ字型固定金具などの金具類を使用し、家具と室内の壁面とを直接固定するものである。
しかし、壁面においては、形状の異なる全ての固定金具を使用できるとは限らず、しかも全ての壁面部分に固定できるものではなく、壁面の固定できる箇所が限定されることとなるため、使い勝手が悪いという不都合がある。
また、チェーンを使用する方策の場合には、家具や壁面にチェーンを固定するための固定金具を取り付ける必要があり、家具を固定する際の部品点数が増加するという不都合がある。
更に、固定金具を利用しない方策としては、家具の上面と室内の天井との間に弾性体の付勢力を利用した突っ張り棒を介設するものがある。
この固定金具を利用しない方策の場合は、徒に固定金具を使用しないので、家具や壁面を損傷してしまうという不具合は解消できる。
しかし、地震発生時に耐震を図るためには、強力な付勢力で突っ張って家具を固定する必要があり、家具の上面部分や天井部分に強度がない場合には使用できないという不都合がある。
そして、固定金具を使用しないため、地震発生時に前記突っ張り棒がずれるおそれがあるとともに、最悪な状態の場合には突っ張り棒が外れてしまうため、耐震上の信頼性が低いという不都合がある。
【０００５】
この発明の目的は、地震発生時などにおける家具の揺動を阻止し、家具の転倒防止を図る家具の転倒防止具を実現することにある。
【課題を解決するための手段】
【０００６】
そこで、この発明は、上述不都合を除去するために、壁面に家具を固定して転倒防止を果たす家具の転倒防止具において、前記家具を壁面に固定する転倒防止具を設け、この転倒防止具を、壁面に取り付けられる家具固定バー部材と、この家具固定バー部材に対してスライド移動可能に取り付けられる移動子と、この移動子を前記家具固定バー部材の任意の位置に停止させるストッパ手段と、前記移動子と前記家具とを固定する固定手段とを備えていることを特徴とする。
【発明の効果】
【０００７】
以上詳細に説明した如くこの発明によれば、壁面に家具を固定して転倒防止を果たす家具の転倒防止具において、家具を壁面に固定する転倒防止具を設け、転倒防止具を、壁面に取り付けられる家具固定バー部材と、家具固定バー部材に対してスライド移動可能に取り付けられる移動子と、移動子を家具固定バー部材の任意の位置に停止させるストッパ手段と、移動子と家具とを固定する固定手段とを備えている。
従って、前記転倒防止具によって家具を壁面に堅固に固定することができ、地震発生時などにおいて家具の揺動を確実に阻止し得て、家具の転倒を防止することができる。
【図面の簡単な説明】
【０００８】
【図１】図１はこの発明の第１実施例の壁面に家具を固定した状態を示し、（ａ）は家具の左側面図、（ｂ）は家具の正面図である。（実施例１）
【図２】図２は家具固定バー部材と移動子とストッパ手段とを説明するための概略拡大断面図である。（実施例１）
【図３】図３は家具固定バー部材の他の使用用途を説明する概略斜視図である。（実施例１）
【図４】図４はこの発明の第２実施例の家具固定バー部材にスライド移動可能に取り付けられる移動子に節度を与える節度手段の概略説明図である。（実施例２）
【発明を実施するための形態】
【０００９】
以下図面に基づいてこの発明の実施例を詳細に説明する。
【実施例１】
【００１０】
図１〜図３はこの発明の第１実施例を示すものである。
図１において、１は転倒防止具、２は室内の壁面、３は衣類収納などに使用される家具である。
このとき、理解を容易とするために、家具３の背板を取り除いた状態とし、固定位置を家具３の内側部分として説明する。
なお、背板を有する家具の場合には、固定位置を家具の外側部分に移動させれば対処し得るものである。
【００１１】
前記家具３を壁面２に固定する前記転倒防止具１は、壁面２に平行かつ水平状態に取り付けられる家具固定バー部材４と、この家具固定バー部材４に対してスライド移動可能、つまり図１（ｂ）に示す如く、壁面２に対して平行かつ水平方向たるＡ方向にスライド移動可能に取り付けられる移動子５と、この移動子５を前記家具固定バー部材４の任意の位置に停止させるストッパ手段６と、前記移動子５と前記家具３とを固定する固定手段７とを備えている。
詳述すれば、前記転倒防止具１の家具固定バー部材４は、図１及び図２に示す如く、断面Ｃ字状に形成される一方、内部に溝部８を有し、前記壁面２に水平状態に第１固定具９によって固定する。
このとき、この第１固定具９は、例えば木ねじなどからなり、所定間隔に複数本使用される。
また、前記家具固定バー部材４を壁面２に固定した際には、前記溝部８の開口部位を表面側である家具３側に開口させ、この溝部８に移動子５を係合させる。
このとき、前記溝部８の例えば一端８ａ側には、移動子５の係合を容易とするために、拡大させた挿入用切り欠き部１０を形成する。
また、前記溝部８から移動子５が脱落するのを防止するために、前記家具固定バー部材４の両端の小口部分にキャップ（図示せず）を取り付けることも可能である。
更に、前記移動子５の後部には、図１及び図２に示す如く、前記ストッパ手段６を取り付け、このストッパ手段６により前記移動子５を任意の位置に停止させ、家具３の転倒防止を図るために停止させた移動子５と家具３とを固定手段７にて固定する。
つまり、前記ストッパ手段６は、前記家具固定バー部材４の溝部８内に入り込み、移動子５とストッパ手段６とＬ字型固定金具などからなる固定手段７の一側７ａとを第２固定具１１にて固定する。
このとき、この第２固定具１０を締め付けてストッパ手段６を家具固定バー部材４の溝部８の開口側に押圧することにより、移動子５の移動を抑制することができる。
更にまた、前記固定手段７の一側７ａに対して直交するようにＬ字型に折曲させた他側７ｂと前記家具３とを第３固定具１２にて固定する。
なお、図１から明らかなように、前記壁面２に対して前記家具３を平行に取り付ける必要があり、壁面２の下部かつ床面１３上に取り付けられる幅木１４の厚みを利用する場合や、高さ位置の異なる部位に上下２段、あるいは３段以上に前記家具固定バー部材４を固定することも可能である。
【００１２】
次に作用を説明する。
【００１３】
まず、前記壁面２に前記転倒防止具１の家具固定バー部材４を、第１固定具９によって水平状態に固定する。
そして、前記家具固定バー部材４の前記溝部８に前記移動子５を係合させた後に、家具固定バー部材４の前面側の前記家具３を配置し、家具３の両内側にＬ字型固定金具からなる固定手段７の他側７ｂが位置するように、固定手段７の一側７ａを第２固定具１１によって締め付ける。
このとき、この第２固定具１１の締め付けによって、ストッパ手段６が家具固定バー部材４の溝部８の開口側を押圧し、前記移動子５の移動が抑制される。
その後、前記固定手段７の他側７ｂと前記家具３とを第３固定具１２にて固定し、家具３を前記壁面２に固定する。
【００１４】
また、前記家具固定バー部材４の寸法としては、約１８０ｃｍの一間タイプ（「６尺タイプ」とも換言できる。）のものや約９０ｃｍの３尺タイプのものなどが種々考えられるが、一間タイプの家具固定バー部材４の前記壁面２に固定するとともに、この家具固定バー部材４に家具３を固定した場合、家具３から外側に突出している部分を有効利用する方策とすることも可能である。
例えば、図１（ｂ）に示す如く、前記移動子５にフックと第２固定具とが一体に形成されるフック付き第２固定具１５を取り付けて、帽子やカバン、衣類を掛ける部位を現出させる構成とすることも可能である。
また、図３に示す如く、前記家具固定バー部材４に２個の移動子５、５を取り付けた際に、これらの移動子５、５に腕部１６、１６を夫々設け、これらの腕部１６、１６間に棒状部材１７を架設して、衣類などを吊り下げるスペースを現出させる構成とすることも可能である。
【００１５】
これにより、前記家具３を壁面２に固定する前記転倒防止具１は、壁面２に取り付けられる家具固定バー部材４と、この家具固定バー部材４に対してスライド移動可能、つまり壁面２に対して平行かつ水平方向にスライド移動可能に取り付けられる移動子５と、この移動子５を前記家具固定バー部材４の任意の位置に停止させるストッパ手段６と、前記移動子５と前記家具３とを固定する固定手段７とを備えている。
従って、前記転倒防止具１によって前記家具３を前記壁面２に堅固に固定することができ、地震発生時などにおいて家具３の揺動を確実に阻止し得て、図１（ａ）に示す如く、家具３の上端が壁面２から離間する方向、つまりＢ方向への家具３の転倒を防止することができる。
【００１６】
また、前記転倒防止具１の家具固定バー部材４は、断面Ｃ字状に形成される一方、内部に溝部８を有し、前記壁面２に水平状態に第１固定具９によって固定する。
そして、前記家具固定バー部材４を壁面２に固定した際には、前記溝部８の開口部位を表面側である家具３側に開口させ、この溝部８に移動子５を係合させる。
このとき、前記溝部８の例えば一端８ａ側には、移動子５の係合を容易とするために、拡大させた挿入用切り欠き部１０を形成する。
また、この溝部８から移動子５が脱落するのを防止するために、前記家具固定バー部材４の両端の小口部分にキャップ（図示せず）を取り付けることも可能である。
従って、前記転倒防止具１の構成を比較的簡略とすることができるため、製作が容易で、コストを低廉に維持し得て、経済的に有利である。
【００１７】
更に、前記転倒防止具１の家具固定バー部材４を前記壁面２に水平状態に固定する際に、壁面２の形成後であれば、幅木１４や２本目の家具固定バー部材４を利用して、あるいは壁面２の形成時であれば、家具固定バー部材４を埋め込んで、前記家具３を壁面２に対して平行に取り付けることが可能であるため、室内の美観を損なうことなく、家具３を壁面２に美しく取り付けることができる。
しかも、壁面２から家具３を取り外した際には、図１（ｂ）に示す如く、前記移動子５にフックと第２固定具とが一体に形成されるフック付き第２固定具１５を取り付けて、帽子やカバン、衣類を掛ける部位を現出させる構成や、図３に示す如く、前記家具固定バー部材４に２個の移動子５、５を取り付けて、これらの移動子５、５に腕部１６、１６を夫々設け、これらの腕部１６、１６間に棒状部材１７を架設して、衣類などを吊り下げるスペースを現出させる構成とすることが可能であるため、予め室内に家具固定バー部材４や移動子５を設置しておけば、前記家具固定バー部材４や移動子５の汎用性を高めることができる。
【実施例２】
【００１８】
図４はこの発明の第２実施例を示すものである。
この第２実施例において、上述第１実施例のものと同一機能を果たす箇所には、同一符号を付して説明する。
【００１９】
この第２実施例の特徴とするところは、前記転倒防止具１の家具固定バー部材４の溝部８を移動する移動子５に節度を与える節度手段２１を設けた点にある。
すなわち、節度手段２１は、図４に示す如く、例えば家具固定バー部材４に溝部８を形成する上部材２２の下端に波形部２３を形成するとともに、この波形部２３に対峙する移動子５の上面部位に板状スプリング２４を配設し、移動子５が壁面２に対して平行かつ水平方向たるＡ方向にスライド移動する際に、板状スプリング２４が波形部２３と順次係合し、移動子５に適度の節度を与えるものである。
さすれば、前記節度手段２１によって移動子５に節度を与えることができるため、万一、ストッパ手段の係合状態が緩む状態が生じても、節度手段２１によって移動子５の移動を阻止することが可能となり、信頼性の高い前記転倒防止具１を実現することが可能である。
また、簡略な構成の節度手段２１を実現することが可能なため、コストを廉価に維持することができる。
【００２０】
なお、この発明は上述の第１及び第２実施例に限定されるものではなく、種々の応用改変が可能である。
【００２１】
例えば、この発明の第１実施例においては、前記転倒防止具の家具固定バー部材を壁面に対して平行かつ水平状態に取り付ける構成としたが、傾斜した状態に取り付ける特別構成とすることも可能である。
すなわち、前記家具固定バー部材を単に傾斜させる場合には、確実な転倒防止を実施したい側、例えば一側の高さ位置を大とするとともに、他側の高さ位置を小とするものである。
さすれば、地震発生時に家具が振動しても、高さ位置の大なる一側に家具が移動することはないため、家具の他側への移動のみを阻止するような固定方策でよく、構成の簡略化を図ることも可能である。
そして、２本の家具固定バー部材を交差させてＸ字状に形成すれば、４個の移動子の全てが中心に向かって傾斜状態にあり、全ての移動子が逆方向に引き合うこととなるため、溝部内の移動子の移動を確実に阻止し得る。
【００２２】
また、この第１実施例においては、前記転倒防止具の家具固定バー部材の溝部内に移動子を取り付ける際に、家具固定バー部材の小口部分や拡大させた挿入用切り欠き部を利用する構成としたが、溝部の正面に位置する開口のいずれの箇所からも挿入可能なようにストッパ手段を分割する特別構成とすることも可能である。
すなわち、例えばストッパ手段を半円形状の第１、第２部材に２分割し、溝部正面の開口から第１、第２部材を夫々挿入した後に、溝部内で２分割した第１、第２部材を係合させ、ストッパ手段として機能させるものである。
このとき、第１、第２部材を挿入する際に、直線部分が夫々上下を向くように挿入し、第１、第２部材の直線部分を合致させた後に、ストッパ手段を９０度回転させれば、合わせ部分が溝部の長手方向に対して直交する状態となる。
これにより、ストッパ手段との取付・取り外し作業を容易に行うことができ、作業性を向上させることができる。
また、分割したストッパ手段を利用しても、十分な強度を確保することができるため、信頼性を損なうおそれがないものである。
【符号の説明】
【００２３】
１  転倒防止具
２  壁面
３  家具
４  家具固定バー部材
５  移動子
６  ストッパ手段
７  固定手段
８  溝部
８ａ  一端
９  第１固定具
１０  挿入用切り欠き部
１１  第２固定具
１２  第３固定具
１３  床面
１４  幅木
１５  フック付き第２固定具
１６  腕部
１７  棒状部材
【図１】
2011235001.tif 000003
【図２】
2011235001.tif 000004
【図３】
2011235001.tif 000005
【図４】
2011235001.tif 000006